(57)【要約】      （修正有）【課題】ガスクロマトグラフのハートカット技術機能向上用の捕集放出装置を提供する。【解決手段】ガスクロマトグラフのハートカット技術機能向上用の捕集放出装置において、該装置は、サンプル注入口１に連結するハートカット器３と、ハートカット器３に連結する質量分析検出器を含む。ハートカット器３は二本のカラムに分離され、その内の一本のカラム上に捕集放出装置５を設置する。本装置はさらにバルブ流路制御装置７を含み、バルブ流路制御装置７は連結カラムを介してハートカット器３と質量分析検出器に連結される。前記捕集放出装置５は、ハートカット器３とバルブ流路制御装置７に連結するカラム上に設置される。該装置は、低コスト、小型化、機能向上を実現し、複数回ハートカットした化学成分を同時に分析し、一回のサンプル注入で分析目的を達成する長所を有する。【選択図】図２
0003179280.tif 000002
【実用新案登録請求の範囲】
【請求項１】
ガスクロマトグラフのハートカット技術機能向上用の捕集放出装置において、
該装置は、サンプル注入口に連結するハートカット器と、ハートカット器に連結する質量分析検出器を含み、ハートカット器から分離される二本のカラムの内、一本のカラム上に捕集放出装置を設置することを特徴とするガスクロマトグラフのハートカット技術機能向上用の捕集放出装置。
【請求項２】
前記装置にはさらにバルブ流路制御装置を含み、該バルブ流路制御装置は連結カラムを介してハートカット器と質量分析検出器に連結され、前記捕集放出装置は、ハートカット器とバルブ流路制御装置に連結するカラム上に設置されることを特徴とする請求項１に記載のガスクロマトグラフのハートカット技術機能向上用の捕集放出装置。
【考案の詳細な説明】
【技術分野】
【０００１】
本考案は、ガスクロマトグラフの質量分析分野に関し、ガスクロマトグラフのハートカット技術機能向上用の捕集放出装置に係る。
【背景技術】
【０００２】
ガスクロマトグラフのハートカット技術は、二本のカラムの極性の違いを利用して、複雑なサンプルに対する分離能力及びその微量成分の測定感度を高めるものである。一般に、低極性の第一カラムにおいて沸点の高低に基づき分離を行い、ハートカット技術を通して目標化合物の存在する組成部分を選択し、さらに極性の第二カラムで分離を行い好ましい分離効果を得る。
【０００３】
現在、ハートカット器を取付けて商品化したガスクロマトグラフの質量分析検出器は図１に示すとおりであり、該装置にはサンプル注入口１と連結するハートカット器３の第一カラム２、ハートカット器３で分離された第一連結カラム４と第二カラム１５、この二本のカラムはそれぞれ質量分析検出器(MS)１６と水素炎イオン検出器(FID)１７、或いは窒素・リン検出器(NPD)またはその他伝統的な検出器（この種の検出器は化合物に対して迅速な定性を行い、未知化合物のマススペクトルを得ることはできない）を含む。尚、商品化したガスクロマトグラフ質量分析検出器のハートカット技術には次のような欠点がある。ハートカット後に分離した二本のカラム４、１５は、ただいずれか一本のカラム内の化学成分を質量分析検出器１６に入れられるが、他の一本のカラム内の化学成分は連結カラム４、水素炎イオン検出器(FID)１７或いは窒素・リン検出器(NPD)やその他伝統的な検出器を通過し、同時に一台の質量分析検出器での分析は不可能である。質量分析検出器一台を増設することにより、ハートカット後に分離させた二本のカラムをそれぞれ二台の質量分析検出器によって分析する目的を達成するが、一台増設する質量分析検出器と、この機能を制御する新ソフト開発のための費用が必要となる。
【考案の概要】
【考案が解決しようとする課題】
【０００４】
公知技術に存在する問題点に鑑み、本考案は、ガスクロマトグラフのハートカット技術機能向上用の捕集放出装置を提供することを目的とする。該装置は、低コスト、小型化、機能向上を実現し、複数回ハートカットした化学成分を同時に分析し、一回のサンプル成分実施で分析目的を達成する長所を有する。
【課題を解決するための手段】
【０００５】
上述の目的を実現するために、本考案の採用する手段は次のとおりである。
【０００６】
ガスクロマトグラフのハートカット技術機能向上用の捕集放出装置において、該装置はサンプル注入口に連結するハートカット器と、ハートカット器に連結する質量分析検出器を含む。ハートカット器は二本のカラムに分離され、その内の一本のカラム上に捕集放出装置を設置する。
【０００７】
本装置はさらにバルブ流路制御装置を含み、バルブ流路制御装置は連結カラムを介してハートカット器と質量分析検出器に連結される。前記捕集放出装置は、ハートカット器とバルブ流路制御装置に連結するカラム上に設置される。
【考案の効果】
【０００８】
前述した本考案の効果は次のとおりである。
ガスクロマトグラフのハートカット技術の捕集放出装置を用いて、装置操作者の要求に基づきハートカット後に流出したさらに分離する必要のある化学成分、別のカラム内の分離効果が比較的良い化学成分を質量分析検出器に入れ分析検出完成後、更に質量分析検出器に放出して更なる分離を行う。これにより、二本のカラムにより分離される化学成分を同時に質量分析検出器に入れスペクトルが重なり合うのを防ぐ。ガスクロマトグラフのハートカット後の第一連結カラムと第二カラムはバルブ流路制御装置を介して同一台の質量分析検出器上に連結され、二本のカラムが分離した化学成分は同一台の質量分析検出器上で分析されて、定性定量が行われる。よって、該装置は、低コスト、小型化、機能向上を実現し、複数回ハートカットした化学成分を同時に分析し、一回のサンプル注入で全てのサンプル成分分析の目的を達成する効果を有する。
【図面の簡単な説明】
【０００９】
【図１】公知技術における商品化されたガスクロマトグラフ-質量分析検出器の構造図である。
【図２】本考案の捕集放出装置及びバルブ流路制御装置を備えたガスクロマトグラフ−質量分析検出器の構造図である。
【考案を実施するための形態】
【００１０】
次に、図面を参照とする実施例により本考案を説明する。
【実施例】
【００１１】
図２に示したガスクロマトグラフのハートカット技術機能向上用の捕集放出装置において、該装置は、サンプル注入口１に連結するハートカット器３の第一カラム２、ハートカット器３に連結する第一連結カラム４と第二カラム６、及びバルブ流路制御装置７と質量分析検出器９の第二連結カラム８、二本のカラム（第一連結カラム４と第二カラム６）分離された化学成分はすべて同一台の質量分析検出器上で分析されて、定性定量が行われる。本考案の装置はその内の第二カラム６上に、ハートカット後に流出する化学成分に対して捕集と放出を行う一組以上の捕集放出装置５を設置する。
【００１２】
本装置のバルブ流路制御装置７は多くの接続変換部を有し、第一連結カラム４、第二カラム６第二連結カラム８を経てハートカット器３と質量分析検出器９に連結する。前記捕集放出装置５はハートカット器３とバルブ流路制御装置７に連結する第二カラム６上に設置する。
【００１３】
本考案の捕集放出装置５の捕集装置は、液体窒素、液体二酸化炭素、液体アンモニア、フロン等の冷媒を直接用いて流出した化学成分の捕集を行う装置、或いは液体窒素、液体二酸化炭素、液体アンモニア、フロン等の冷媒を冷却媒体として窒素ガスやヘリウムガス等の気体を冷却し、さらに冷却後の窒素ガスやヘリウムガス等の気体を用いて流出した化学成分の捕集を行う装置、或いは温度降下作用を備えた電子捕集装置を指す。
【００１４】
本考案の捕集放出装置５の放出装置は、直接的または間接的に、空気、窒素ガス、ヘリウムガス或いはその他気体を加熱した後に流出した化学成分に対して迅速放出を行う装置、或いは加熱作用を備えた電子加熱装置が流出した化学成分に対して迅速放出を行う装置を指す。
【００１５】
本考案の捕集放出装置５は、ハートカット分離後の化学成分に対し一回或いは連続多数回の捕集放出を行い、別の一本或いは多数本のカラムによって更なる分離を行うことができる。ハートカットにより分離させた化学成分に対し、一回或いは連続多数回の捕集及び放出を行う時、同一の捕集、放出位置で、捕集、放出をそれぞれ行い、同時進行はできず、捕集、放出時間は設定できる。
【実施例１】
【００１６】
(１)まず、ガスクロマトグラフのハートカット後に分離した第二カラム６上には捕集放出装置５を取付ける。本実施例の捕集放出装置５中の捕集装置は液体窒素を冷却媒体として用いて高純度窒素ガスを冷却し、さらに冷却後の窒素ガスを第二カラム６上に吹き付けてハートカット後に流出した化学成分の捕集を行う。該装置の捕集時間は自由に設定できる。同時に、バルブ流路制御装置７と第二連結カラム８を用いてガスクロマトグラフのハートカット後の二本のカラム４、６を同一台の質量分析検出器９上に連結する。
(２)その後、実験の要求に応じてカットを必要とし更なる分離を必要とする成分を第二カラム６に導き、同時に捕集放出装置５の捕集装置を起動させ流出した化学成分を捕集する。その他カット不要な化学成分は第一連結カラム４を通過して直接、質量分析検出器９に入り、分析され定性定量が行われる。
(３)捕集終了後、第一連結カラム４中の化学成分を質量分析検出器９中で分析した後、捕集放出装置５の捕集装置が起動し、電気加熱モジュールで加熱後の空気、窒素ガス、ヘリウムガス、或いはその他気体を直接用いてパージし、捕集した化学成分は迅速に第二カラム６中に放出されてさらなる分離が行われる。分離後の化学成分は質量分析検出器９に入り定性定量が行われる。
【実施例２】
【００１７】
(１)まず、ガスクロマトグラフのハートカット後に分離した第二カラム６上には捕集放出装置５を取付ける。本実施例の捕集放出装置５中の捕集装置は液体窒素を冷却媒体として用いて管路より導入し、液体窒素で第二カラムを包み込むか周囲を囲み、ハートカット後に流出した化学成分の冷却捕集を行う。該装置の捕集時間は自由に設定できる。同時に、バルブ流路制御装置７と第二連結カラム８を用いてガスクロマトグラフのハートカット後の二本のカラム４、６を同一台の質量分析検出器９上に連結する。
(２)その後、実験の要求に応じてカットを必要とし更なる分離を必要とする成分を第二カラム６に導き、同時に捕集放出装置５の捕集装置を起動させ流出した化学成分を捕集する。その他カット不要な化学成分は第一連結カラム４を通過して直接、質量分析検出器９に入り、分析され定性定量が行われる。
(３)捕集終了後、第一連結カラム４中の化学成分を質量分析検出器９中で分析した後、捕集放出装置５の捕集装置が起動し、電気加熱モジュールで加熱後の空気、窒素ガス、ヘリウムガス、或いはその他気体を直接用いてパージし、捕集した化学成分は迅速に第二カラム６中に放出されて更なる分離が行われる。分離後の化学成分は質量分析検出器９に入り定性定量が行われる。
【実施例３】
【００１８】
(１)まず、ガスクロマトグラフのハートカット後に分離した第二カラム６上には捕集放出装置５を取付ける。本実施例の捕集放出装置５中の捕集装置は液体窒素を冷却媒体として用いて高純度窒素ガスを冷却し、さらに冷却後の窒素ガスをカラム上に吹き付けてハートカット後に流出した化学成分の捕集を行う。該装置の捕集時間は自由に設定できる。同時に、バルブ流路制御装置７と第二連結カラム８を用いてガスクロマトグラフのハートカット後の二本のカラム４、６を同一台の質量分析検出器９上に連結する。
(２)その後、実験の要求に応じてカットを必要とし更なる分離を必要とする成分を第二カラム６に導き、同時に捕集放出装置５の捕集装置を起動させ流出した化学成分を捕集する。その他、カット不要な化学成分は第一連結カラム４を通過して直接、質量分析検出器９に入り、分析され定性定量が行われる。
(３)捕集終了後、第一連結カラム４中の化学成分を質量分析検出器９中で分析した後、捕集放出装置５の捕集装置が起動され、電気加熱モジュールを直接用いて加熱され、捕集した化学成分は迅速に第二カラム６中に放出されて更なる分離が行われる。分離後の化学成分は質量分析検出器９に入り定性定量が行われる。
【００１９】
前述の三つは本考案の単なる具体的な実施例であり、本考案の設計構想はこれに制限されないものである。本構想を用いて本考案に対して行った非実質的な変化や修正は全て実用新案登録請求の範囲を侵害する行為とみなすことをここに明記する。
【符号の説明】
【００２０】
１  サンプル注入口
２  第一カラム
３  ハートカット器
４  第一連結カラム
１５  第二カラム
６    第二カラム
１６  質量分析検出器    
１７  水素炎イオン検出器(FID)
５  捕集放出装置
７  バルブ流路制御装置
８  第二連結カラム
９  質量分析検出器
【図１】
0003179280.tif 000003
【図２】
0003179280.tif 000004